(57)【要約】【課題】テープ留めタイプ紙おむつに本来的に備えられたファスナーテープとフロンタルテープをそっくりそのまま使用して１サイズの使い捨ておむつで幅広いウエストサイズに対応させることができるウエスト調整バンド並びにテープ留めタイプ紙おむつとウエストバンドとの組合わせからなるウエスト調整機能付きの着用体を提供する。【解決手段】紙おむつ本体の背部両側縁から夫々ファスナーテープを延出しこのファスナーテープをおむつ着用状態に紙おむつ本体にテープ留めするためのフロンタルテープを紙おむつ本体の腹部前面に有するテープ留めタイプ紙おむつと組合わせ使用されるベルトであって、該ベルトの両端部にはサイド係合部を設けると共に該ベルトの中央部には中央係合部を備え、該ベルトを組合わせたテープ留めタイプ紙おむつの着用時には前記紙おむつのファスナーテープと前記ベルトのサイド係合部とが係合し、かつ紙おむつのフロンタルテープと前記ベルトの中央係合部とが係合するように構成したことを特徴とするサイズ調整用ウエストバンド。【選択図】  図６
2004195083.tif 000002
【特許請求の範囲】
【請求項１】
紙おむつ本体の背部両側縁から夫々ファスナーテープを延出しこのファスナーテープをおむつ着用状態に紙おむつ本体にテープ留めするためのフロンタルテープを紙おむつ本体の腹部前面に有するテープ留めタイプ紙おむつと組合わせ使用されるベルトであって、該ベルトの両端部にはサイド係合部を設けると共に該ベルトの中央部には中央係合部を備え、該ベルトを組合わせたテープ留めタイプ紙おむつの着用時には前記紙おむつのファスナーテープと前記ベルトのサイド係合部とが係合し、かつ紙おむつのフロンタルテープと前記ベルトの中央係合部とが係合するように構成したことを特徴とするサイズ調整用ウエストバンド。
【請求項２】
紙おむつのファスナーテープがメカニカルファスナー、あるいは粘着材付ファスナーである請求項１記載のサイズ調整用ウエストバンド。
【請求項３】
ベルトのサイド係合部はベルトの両端から所定間隔をあけて複数個存在する請求項１または２記載のサイズ調整用ウエストバンド。
【請求項４】
ベルトの中央係合部はベルトの該中央に複数個存在する請求項１から３までのいずれか１項記載のサイズ調整用ウエストバンド。
【請求項５】
紙おむつのファスナーテープが片側に２個所以上存在し、夫々のファスナーテープに２本以上のベルトを並行あるいは交差させて着用する請求項１から４までのいずれか１項記載のサイズ調整用ウエストバンド。
【請求項６】
ベルトが伸縮性のあるものである請求項１から５までのいずれか１項記載のサイズ調整用ウエストバンド。
【請求項７】
紙おむつ本体のフロンタルテープに中央係合部を着脱自在に結合したベルトのサイド係合部を、紙おむつ本体のファスナーテープに着脱自在に結合する請求項１から６までのいずれか１項記載のウエスト調整用バンド。
【請求項８】
紙おむつとベルトとの組合わせ着用時に、該紙おむつ本体のフロンタルテープと該ベルトの中央係合部との結合点を中心としてベルトの両端部のサイド係合部に紙おむつ本体のファスナーテープを左右均等に係合するようにした請求項７記載のウエスト調整用バンド。
【請求項９】
ベルト片面に中央係合部を設け、該ベルトの同一片面または反対片面にサイド係合部を設けている請求項１から８までのいずれか１項記載のウエスト調整用バンド。
【請求項１０】
２本以上のベルトが中央部でたすき掛け状に交差し、その交差中央部に１個あるいは複数個の中央係合部を設けた請求項５から９までのいずれか１項記載のウエスト調整用バンド。
【請求項１１】
１サイズの使い捨て紙おむつにベルトを組合わせることで幅広いウエストサイズに対応させることができるテープ留めタイプ紙おむつとベルトとの組合わせからなるウエスト調整機能付き着用体。
【発明の詳細な説明】
【０００１】
【発明の属する技術分野】
本発明はテープ留めタイプ紙おむつのサイズ調整用ウエストバンド並びにテープ留めタイプ紙おむつとサイズ調整用ウエストバンドとの組合わせ着用体に関する。
【０００２】
【従来の技術】
おむつ着用者の姿勢および体調によりウエストサイズは大きく変動することがあり、従来の使い捨ておむつでは、テープの付け直しをするなどして調整を行なっているが、対応できるサイズには限界があった。おむつの締結手段（おむつ本体の背面側両端部に設けられたファスナーテープと腹側中央部に設けられたフロンタルテープ）のサイズを大きくしたり、伸縮性を与えるなどが試みられてはいるが、使い勝手が悪い、伸長量が小さいなどの問題点があった。またパット状のおむつ本体を別部材のベルトで固定するものも市販されているが、本体とベルトとの併用が前提であり、テープ留めタイプで使用できるものではなかった。
さらに、通常、紙おむつは対象者の体形に応じて数種類のサイズが揃えられてはいるが、統計的にサイズが決定されており、これまでの製品に合わないケースも多々存在した。
【０００３】
【特許文献１】特公昭６１−５０１０３７公報
【特許文献２】実開平３−４９８２５公報
【特許文献３】特開平８−２６６５７１公報
【特許文献４】特開２０００−５１２７３公報
【０００４】
ほぼ長方形状の吸収パッドと、第１および第２止め部材を備えるベルトからなる着脱式ベルト付使い捨て衛生物品が知られている（特許文献１）。
【０００５】
【発明が解決しようとする課題】
テープ留めタイプ紙おむつに本来的に備えられたファスナーテープとフロンタルテープをそっくりそのまま使用して１サイズの使い捨ておむつで幅広いウエストサイズに対応させることができるウエスト調整バンド並びにテープ留めタイプ紙おむつとウエストバンドとの組合わせからなるウエスト調整機能付きの着用体を提供する。
【０００６】
【課題を解決するための手段】
本発明は紙おむつ本体側縁から延出するようにして使用される市販のファスナーテープを備えた紙おむつに使用され、ファスナーテープとバンド（ベルト）の両端のサイド係合部において結合し、該バンドの中央部にはフロンタルテープとの結合手段を備えた中央係合部を有するサイズ調整用ウエストバンドに係わる。ファスナーテープは、メカニカルファスナーあるいは粘着材付ファスナーに対応する。サイド係合部は、ベルトの両端から所定間隔を空けて複数存在してもよい。
【０００７】
又本発明の実施態様においてテープが片側２個所以上存在する場合には、２本のベルトを並行あるいは交差させて着用する。また２本タイプであれば装着時に別々に手にとる手間を省くことができる。ベルトは、伸縮性のあるものが好ましい。
装着方法は任意であるが、最初に中央部の中央係合部をフロンタルテープに係合させた後で両側のサイド係合部をそれぞれ係合させることで左右均等に装着することができる。
【０００８】
【実施例】
以下に本発明の実施例を示すが、これは例示の目的で掲げたもので、本発明を何ら限定するものではない。
【０００９】
［実施例１］
図１の（イ）（ロ）は１本タイプのベルトの表面図および裏面図であり、ベルト（１）の中央部裏側にはテープ留めタイプ紙おむつのフロンタルテープ（２）のメカニカルファスナー雌部と係合するメカニカルファスナー雄部からなる中央係合部（３）を備え、またベルト（１）の表側両端部にはテープ留めタイプ紙おむつのファスニングテープ（４）のメカニカルテープの雄部と係合するメカニカルテープの雌部からなるサイド係合部（５）（５）を備えている。
中央係合部（３）とサイド係合部（５）（５）は通常は図２の（イ）に示すように表裏に設けられるが、使用方法によっては図２の（ロ）に示すように同じ面に設けてもよい。
図３はベルト（１）を組合わせたテープ留めタイプ紙おむつの着用状態図であって、ベルト（１）の中央係合部（３）を紙おむつのフロンタルテープ（２）の腹部中央の上下任意個所にメカニカルテープの雄雌係合によって結合し、次いでベルト（１）のサイド結合部（５）上にその上下および長手方向の位置を調整しながらファスニングテープ（５）をメカニカルテープの雄雌嵌合によって結合する。
このようにすることによりベッド上で通常のテープ留めタイプ紙おむつの着用状態で横臥していた着用者を車椅子等で移動する場合に、ウエスト拡大を補償するためにベルト（１）を上記のように紙おむつと組合わせて使用することによって有効に対処できる。
また場合によっては予めベルトを紙おむつと上記のように組合わせておき、ベルトの両端から所定間隔をあけて複数個設けたサイド係合部を選択し、着用者の姿勢によるウエストの増減変化に対処してもよい。
図４はベルトを着脱自在に装着するテープ留めタイプ紙おむつの展開内面を示し、（６）は立体ギャザー、（７）はレッグギャザーである。
【００１０】
［実施例２］
図５の（イ）（ロ）は２本タイプのベルトを示す表面図および裏面図である。夫々のベルト（１）（１’）の各両端にはファスニングテープ（４）と係合するサイド係合部（５）を備え、ベルト（１）（１’）はその中央部で交差し、この交差角度が自在に調整できるようにベルト同士は一体化し、この交差個所にはフロンタルテープ（２）と係合する１個の中央係合部（３）を備えている。
図６は２本タイプのベルトをテープ留めタイプ紙おむつに組合わせて使用したときの着用状態を示し、ファスナーテープ（４）が片側２個所あるタイプのテープ留めタイプ紙おむつに適用され、ベルト（１）（１’）を交差させて着用することによりフィット性が向上する。
【００１１】
【発明の効果】
（１）おむつ着用者の姿勢および体調によりウエスト周りが変動して従来の締結手段テープによる調整範囲を超えるような時でも使用可能なフィット性の良い使い捨ておむつを提供する。ベルトに伸縮部材を用いることで、締結手段と協同してより一層フィット性が向上する。
（２）締結手段に伸縮部材を付与するなどのコストをかけることなく１サイズの使い捨ておむつで幅広いウエストサイズに対応させることができる。これまで既存の紙おむつでの着用が困難な場合でも容易に着用することができる。
【図面の簡単な説明】
【図１】１本タイプベルトの外観平面図であり、（イ）は表面図（ロ）は裏面図である。
【図２】ベルトの側面図であり、（イ）は中央係合部とサイド係合部が互いに反対面にある例を、（ロ）は同一側にある例を示す。
【図３】１本ベルトの着用状態を示した斜視図である。
【図４】テープ留めタイプ紙おむつの展開内面図である。
【図５】２本交差ベルトの外観平面図であり、（イ）は表面図、（ロ）は裏面図である。
【図６】２本交差ベルトの着用状態を示す斜視的外観図である。
【符号の説明】
１，１’…ベルト
２…フロンタルテープ
３…中央係合部
４…ファスニングテープ
５…サイド係合部
６…立体ギャザー
７…レッグギャザー
【図１】
2004195083.tif 000003
【図２】
2004195083.tif 000004
【図３】
2004195083.tif 000005
【図４】
2004195083.tif 000006
【図５】
2004195083.tif 000007
【図６】
2004195083.tif 000008